(57)【要約】【課題】ドア付き開口やサッシ付き開口に複数種類のドアやサッシを取り付けた場合の遮音性の相違や、複数種類の間仕切壁の遮音性の相違を、効果的に比較しながら体感できる遮音性能体感設備を提供する。【解決手段】体感者が在室する体感ルーム１１と、体感ルーム１１の周囲に配置された、一対の間仕切用音源室１３ａ，１３ｂと、一対のドア用音源室１５ａ，１５ｂと、一対のサッシ用音源室１７ａ，１７ｂとを有する。各間仕切用音源室１３ａ，１３ｂは、遮音性能の異なる間仕切壁１２ａ，１２ｂを挟んで体感ルーム１１と対向しており、各ドア用音源室１５ａ，１５ｂは、遮音性能の異なるドア付き開口１４ａ，１４ｂを挟んで体感ルーム１１と対向しており、各サッシ用音源室１７ａ，１７ｂは、遮音性能の異なるサッシ付き開口１６ａ，１６ｂを挟んで体感ルーム１１と対向している。各音源室には、スピーカ２０及びマイクロフォン２１が設置されている。【選択図】図１
2011002482.tif 000002
【特許請求の範囲】
【請求項１】
体感者が在室する体感ルームと、該体感ルームの周囲に配置された、間仕切壁を挟んで前記体感ルームと対向する少なくとも一対の間仕切用音源室と、ドア付き開口を挟んで前記体感ルームと対向する少なくとも一対のドア用音源室と、サッシ付き開口を挟んで前記体感ルームと対向する少なくとも一対のサッシ用音源室とを有する遮音性能体感設備であって、
前記少なくとも一対の間仕切用音源室は、遮音性能の異なる前記間仕切壁を挟んで前記体感ルームと対向しており、前記少なくとも一対のドア用音源室は、遮音性能の異なるドアが取り付けられた前記ドア付き開口を挟んで前記体感ルームと対向しており、前記少なくとも一対のサッシ用音源室は、遮音性能の異なるサッシが取り付けられた前記サッシ付き開口を挟んで前記体感ルームと対向しており、
且つ、前記各音源室には、スピーカ及びマイクロフォンが設置されてる遮音性能体感設備。
【請求項２】
前記体感ルームの周囲に、少なくとも一対の給気口が形成された給気用間仕切壁を挟んで前記体感ルームと対向する給気口音源室が配置されており、前記少なくとも一対の給気口には、遮音性能の異なる給気装置が取り付けられている請求項１記載の遮音性能体感設備。
【請求項３】
前記体感ルームの周囲に、制御室が配置されており、該制御室に設けられた制御装置に前記スピーカ及びマイクロフォンが接続していて、前記各音源室における音響が制御されるようになっている請求項１又は２記載の遮音性能体感設備。
【請求項４】
前記体感ルームの上方の床面に歩行加振器が設置されており、前記体感ルームにおいて歩行者による床衝撃音を体感できるようになっている請求項１〜３のいずれかに記載の遮音性能体感設備。
【発明の詳細な説明】
【技術分野】
【０００１】
本発明は、遮音性能体感設備に関し、特に、遮音性能の異なる複数の間仕切壁やドアやサッシ等の遮音性能を比較しながら効果的に体感できる遮音性能体感設備に関する。
【背景技術】
【０００２】
住宅建築物や集合住宅等の建物の内部における遮音性能等の音環境に関する性能については、建物を建築する前に実際に体感することが難しく、例えばカタログ上の数値のみを用いて説明が行われているのが現状である。このため、建物の音環境に関する性能については、説明する側も説明される側も、実感を伴った納得をすることができないまま建物が建築されることになり、想定していた遮音性能等の音環境と建物の建築後の実際の音環境とが相違することが考えられる。
【０００３】
このようなことから、外壁、床、排水管など、住宅における各部の仕様の違いによる防音遮音状態を体験できるようにした防音遮音体験装置（例えば、特許文献１参照）や、界壁、床などの住宅における各部の仕様の違いによる防音遮音状態を体験できるようにした騒音体験装置（例えば、特許文献２参照）が開発されている。
【先行技術文献】
【特許文献】
【０００４】
【特許文献１】特開平１１−２１２４４１８号公報
【特許文献２】特開２００４−２２６７０５号公報
【発明の概要】
【発明が解決しようとする課題】
【０００５】
しかしながら、特許文献１の防音遮音体験装置では、サッシが設けられた外壁と、全く窓が設けられずに構成された外壁と、出窓サッシが設けられた外壁と、防音ドアが設けられた防音壁との遮音性能の相違を体感することができるようになっているが、例えばドア付き開口やサッシ付き開口に取り付けられる、遮音性能が相違する複数種類のドアやサッシの遮音性を、効果的に比較しながら体感することは困難である。
【０００６】
また、特許文献２の騒音体験装置では、体験室と騒音発生室との間の開口を密閉する、最新仕様、及び在来仕様の２種類の界壁を、開口に沿って移動させて交代で取り付けることにより、２種類の界壁による騒音の違いを体験室で把握させることができるようになっているが、界壁の移動に手間がかかるため、これらの界壁の遮音性能の相違を効果的に比較しながら体感することは困難である。
【０００７】
本発明は、例えばドア付き開口やサッシ付き開口に遮音性能が異なる複数種類のドアやサッシを取り付けた場合の遮音性の相違や、遮音性能が異なる複数種類の間仕切壁の遮音性の相違を、効果的に比較しながら体感することのできる遮音性能体感設備を提供することを目的とする。
【課題を解決するための手段】
【０００８】
本発明は、体感者が在室する体感ルームと、該体感ルームの周囲に配置された、間仕切壁を挟んで前記体感ルームと対向する少なくとも一対の間仕切用音源室と、ドア付き開口を挟んで前記体感ルームと対向する少なくとも一対のドア用音源室と、サッシ付き開口を挟んで前記体感ルームと対向する少なくとも一対のサッシ用音源室とを有する遮音性能体感設備であって、前記少なくとも一対の間仕切用音源室は、遮音性能の異なる前記間仕切壁を挟んで前記体感ルームと対向しており、前記少なくとも一対のドア用音源室は、遮音性能の異なるドアが取り付けられた前記ドア付き開口を挟んで前記体感ルームと対向しており、前記少なくとも一対のサッシ用音源室は、遮音性能の異なるサッシが取り付けられた前記サッシ付き開口を挟んで前記体感ルームと対向しており、且つ、前記各音源室には、スピーカ及びマイクロフォンが設置されている遮音性能体感設備を提供することにより、上記目的を達成したものである。
【０００９】
そして、本発明の遮音性能体感設備は、前記体感ルームの周囲に、少なくとも一対の給気口が形成された給気用間仕切壁を挟んで前記体感ルームと対向する給気口音源室が配置されており、前記少なくとも一対の給気口には、遮音性能の異なる給気装置が取り付けられていることが好ましい。
【００１０】
また、本発明の遮音性能体感設備は、前記体感ルームの周囲に、制御室が配置されており、該制御室に設けられた制御装置に前記スピーカ及びマイクロフォンが接続していて、前記各音源室における音響が制御されるようになっていることが好ましい。
【００１１】
さらに、本発明の遮音性能体感設備は、前記体感ルームの上方の床面に歩行時の衝撃を再現する装置である歩行加振器が設置されており、前記体感ルームにおいて歩行者による床衝撃音を体感できるようになっていることが好ましい。
【発明の効果】
【００１２】
本発明の遮音性能体感設備によれば、例えばドア付き開口やサッシ付き開口に遮音性能が異なる複数種類のドアやサッシを取り付けた場合の遮音性の相違や、遮音性能が異なる複数種類の間仕切壁の遮音性の相違を、効果的に比較しながら体感することができる。
【図面の簡単な説明】
【００１３】
【図１】（ａ）は、本発明の好ましい一実施形態に係る遮音性能体感設備が設けられた部分のモデル住宅の１階平面図、（ｂ）は２階平面図である。
【発明を実施するための形態】
【００１４】
本発明の好ましい一実施形態に係る遮音性能体感設備１０は、図１（ａ），（ｂ）に示すように、例えば住宅展示場に設置された、住宅建築物における音環境を体感させるための２階建てのモデル住宅５０に組み込んで設けられた設備であり、例えば住宅建築物の購入を検討する購入予定者（ユーザ）が、好ましくは営業者と共に体感者として体感ルーム１１に在室することにより、種々の音環境の下で、例えばドア付き開口やサッシ付き開口に遮音性能が相違する複数種類のドアやサッシを取り付けた場合の遮音性の相違や、遮音性能が相違する複数種類の間仕切壁の遮音性の相違を、実際に比較しながら体感することができるようにするための設備として採用されたものである。
【００１５】
そして、本実施形態の遮音性能体感設備１０は、体感者が在室する体感ルーム１１と、体感ルーム１１の周囲に配置された、間仕切壁１２ａ，１２ｂを挟んで体感ルーム１１と対向する少なくとも一対（本実施形態では一対）の間仕切用音源室１３ａ，１３ｂと、ドア付き開口１４ａ，１４ｂを挟んで体感ルーム１１と対向する少なくとも一対（本実施形態では一対）のドア用音源室１５ａ，１５ｂと、サッシ付き開口１６ａ，１６ｂを挟んで体感ルーム１１と対向する少なくとも一対（本実施形態では一対）のサッシ用音源室１７ａ，１７ｂとを有する２階建ての設備であって、一対の間仕切用音源室１３ａ，１３ｂは、遮音性能の異なる間仕切壁１２ａ，１２ｂを挟んで体感ルーム１１と対向しており、一対のドア用音源室１５ａ，１５ｂは、遮音性能の異なるドア１８ａ，１８ｂが取り付けられたドア付き開口１４ａ，１４ｂを挟んで体感ルーム１１と対向しており、一対のサッシ用音源室１７ａ，１７ｂは、遮音性能の異なるサッシ１９ａ，１９ｂが取り付けられたサッシ付き開口１６ａ，１６ｂを挟んで体感ルーム１１と対向しており、且つ、各音源室１３ａ，１３ｂ，１５ａ，１５ｂ，１７ａ，１７ｂには、スピーカ２０及びマイクロフォン２１が設置されている。
【００１６】
また、本実施形態では、体感ルーム１１の周囲に、少なくとも一対（本実施形態では一対）の給気口２２ａ，２２ｂが形成された給気用間仕切壁２３を挟んで体感ルーム１１と対向する給気口音源室２４が配置されており、一対の給気口２２ａ，２２ｂには、遮音性能の異なる給気装置２５ａ，２５ｂが取り付けられている。
【００１７】
さらに、本実施形態では、体感ルーム１１の周囲に、制御室２６が配置されており、この制御室２６に設けられた制御装置２７に、各音源室１３ａ，１３ｂ，１５ａ，１５ｂ，１７ａ，１７ｂ，２４に配置されたスピーカ２０及びマイクロフォン２１が接続していて、各音源室１３ａ，１３ｂ，１５ａ，１５ｂ，１７ａ，１７ｂ，２４における音響が制御されるようになっている。
【００１８】
さらにまた、本実施形態では、体感ルーム１１の上方の２階の床面２８に歩行時の衝撃を再現する装置である歩行加振器２９が設けられており、下階の体感ルーム１１において歩行者による床衝撃音を体感できるようになっている。
【００１９】
本実施形態では、遮音性能体感設備１０は、例えば２階建てのモデル住宅５０の一部として、周囲を外周遮音壁３０によって囲まれた状態で設けられており、図１（ａ），（ｂ）に示すように、１階部分と２階部分とを有している。遮音性能体感設備１０の1階部分には、図１（ａ）に示すように、例えば南側に面した中央部分に８畳程度の広さの略正方形の平面形状を有する体感ルーム１１が設けられており、この体感ルーム１１には、椅子やソファー等が適宜配設されていると共に、一対の防音ドア３１を介してユーザや営業者が外部から出入りして、在室することができるようになっている。この体感ルーム１１の周囲の三方を囲むようにして、北側及び東西両側の部分には、一対の間仕切用音源室１３ａ，１３ｂと、一対のドア用音源室１５ａ，１５ｂと、一対のサッシ用音源室１７ａ，１７ｂとが、体感ルーム１１の中央を中心線とする略対称な位置に各々配置された状態で設けられている。
【００２０】
一対の間仕切用音源室１３ａ，１３ｂは、体感ルーム１１の北側の部分に略対称に配置される２畳程度の広さの略正方形の平面形状を有する音源室であり、東側の第１間仕切用音源室１３ａと、西側の第２間仕切用音源室１３ｂとからなる。第１間仕切用音源室１３ａと第２間仕切用音源室１３ｂとの間は、第１仕切遮音壁３２ａによって仕切られていると共に、両側に隣接する第１ドア用音源室１５ａや第２ドア用音源室１５ｂとは、ドア付仕切遮音壁３３ａ，３３ｂによって各々仕切られた状態となっている。そして、これらのドア付仕切遮音壁３３ａ，３３ｂに設けられた防音ドア３４を介して、第１ドア用音源室１５ａや第２ドア用音源室１５ｂから、第１間仕切用音源室１３ａや第２間仕切用音源室１３ｂに各々出入りできるようになっている。
【００２１】
また、一対の間仕切用音源室１３ａ，１３ｂは、体感ルーム１１の北側の壁面に沿って配置された遮音性能の異なる２種類の間仕切壁１２ａ，１２ｂを挟んで各々体感ルーム１１と対向するようになっている。すなわち、第１間仕切用音源室１３ａと体感ルーム１１とを仕切る第１間仕切壁１２ａは、例えば標準仕様の間仕切壁となっており、例えば間柱に支持させて表裏の面に各々１２．５ｍｍの厚さの石膏ボードを取り付けると共に、内部にグラスウール等の断熱材が設置されていない仕様となっている。一方、第２間仕切用音源室１３ｂと体感ルーム１１とを仕切る第２間仕切壁１２ｂは、例えば界壁間仕切となっており、例えば４５×７５の間柱と４５×１０５の間柱とが千鳥に配置されると共に、表裏の面に各々１２．５ｍｍの厚さの石膏ボードが各々２枚重ねで取り付けられており、且つ内部にグラスウールが設置された仕様となっている。
【００２２】
さらに、各間仕切用音源室１３ａ，１３ｂには、好ましくは体感ルーム１１の中央を中心線とする略対称な位置に配置されて、スピーカ２０及びマイクロフォン２１が各々設置されている。
【００２３】
一対のドア用音源室１５ａ，１５ｂは、1階部分の北東の角部及び北西の角部に略対称に配置される３畳程度の広さの略矩形の平面形状を有する音源室であり、北東の角部の第１ドア用音源室１５ａと、北西の角部の第２ドア用音源室１５ｂとからなる。第１ドア用音源室１５ａは、第１ドア付仕切遮音壁３３ａによって第１間仕切用音源室１３ａと仕切られていると共に、第３ドア付仕切遮音壁３３ｃによって南側の第１サッシ用音源室１７ａと仕切られている。一方、第２ドア用音源室１５ｂは、第２ドア付仕切遮音壁３３ｂによって第２間仕切用音源室１３ｂと仕切られていると共に、第４ドア付仕切遮音壁３３ｄによって南側の第２サッシ用音源室１７ｂと仕切られている。
【００２４】
また、一対のドア用音源室１５ａ，１５ｂは、遮音性能の異なる２種類のドア１８ａ，１８ｂが取り付けられたドア付き開口１４ａ，１４ｂを挟んで各々体感ルーム１１と対向するようになっている。すなわち、第１ドア用音源室１５ａと体感ルーム１１とを仕切る第１ドア付き開口１４ａに取り付けられた第１ドア１８ａは、例えば標準仕様のドアとなっており、第２ドア用音源室１５ｂと体感ルーム１１とを仕切る第２ドア付き開口１４ｂに取り付けられた第２ドア１８ｂは、例えば防音仕様のドアとなっている。
【００２５】
さらに、各ドア用音源室１５ａ，１５ｂには、好ましくは体感ルーム１１の中央を中心線とする略対称な位置に配置されて、スピーカ２０及びマイクロフォン２１が各々設置されている。
【００２６】
一対のサッシ用音源室１７ａ，１７ｂは、体感ルーム１１の東側及び西側の部分に略対称に配置される２畳程度の広さの略矩形の平面形状を有する音源室であり、東側の第１サッシ用音源室１７ａと、西側の第２サッシ用音源室１７ｂとからなる。第１サッシ用音源室１７ａは、第３ドア付仕切遮音壁３３ｃによって第１ドア用音源室１５ａと仕切られていると共に、第２仕切遮音壁３２ｂによって後述する南側の制御室２６と仕切られている。一方、第２サッシ用音源室１７ｂは、第４ドア付仕切遮音壁３３ｄによって第２ドア用音源室１５ｂと仕切られていると共に、第５ドア付仕切遮音壁３３ｅによって後述する南側の給気口音源室２４と仕切られている。そして、これらのドア付仕切遮音壁３３ｃ，３３ｄに設けられた防音ドア３４を介して、第１ドア用音源室１５ａや第２ドア用音源室１５ｂから、第１サッシ用音源室１７ａや第２サッシ用音源室１７ｂに各々出入りできるようになっている。
【００２７】
また、一対のサッシ用音源室１７ａ，１７ｂは、遮音性能の異なる２種類のサッシ１９ａ，１９ｂが取り付けられたサッシ付き開口１６ａ，１６ｂを挟んで各々体感ルーム１１と対向するようになっている。すなわち、第１サッシ用音源室１７ａと体感ルーム１１とを仕切る第１サッシ付き開口１６ａに取り付けられた第１サッシ１９ａは、例えば標準仕様のサッシとなっており、第２サッシ用音源室１７ｂと体感ルーム１１とを仕切る第２サッシ付き開口１６ｂに取り付けられた第２サッシ１９ｂは、例えば２重サッシとなっている。
【００２８】
さらに、各サッシ用音源室１７ａ，１７ｂには、好ましくは体感ルーム１１の中央を中心線とする略対称な位置に配置されて、スピーカ２０及びマイクロフォン２１が各々設置されている。
【００２９】
そして、本実施形態では、第２サッシ用音源室１７ｂの南側には、1階部分の南西の角部に配置されて、給気口音源室２４が設けられている。給気口音源室２４は、１畳程度の広さの略矩形の平面形状を有する音源室であり、第５ドア付仕切遮音壁３３ｅによって北側の第２サッシ用音源室１７ｂと仕切られていると共に、第５ドア付仕切遮音壁３３ｅに設けられた防音ドア３４を介して、第２サッシ用音源室１７ｂから、給気口音源室２４に出入りできるようになっている。
【００３０】
また、給気口音源室２４は、遮音性能の異なる２種類の給気装置２５ａ，２５ｂが取り付けられた一対の給気口２２ａ，２２ｂを有する給気用間仕切壁２３を挟んで体感ルーム１１と対向するようになっている。すなわち、一対の給気口２２ａ，２２ｂは、例えば給気用間仕切壁２３に左右２箇所に同じ高さで開口形成されており、北側の第１給気口２２ａに取り付けられた第１給気装置２５ａは、例えば標準仕様の給気装置となっており、南側の第２給気口２２ｂに取り付けられた第２給気装置２５ｂは、例えば防音仕様の給気装置となっている。
【００３１】
さらに、給気口音源室２４には、スピーカ２０及びマイクロフォン２１が設置されている。
【００３２】
一方、本実施形態では、第１サッシ用音源室１７ａの南側には、1階部分の南東の角部に配置されて、制御室２６が設けられている。制御室２６は、１畳程度の広さの略矩形の平面形状を有する部屋であり、第２仕切遮音壁３２ｂによって北側の第１サッシ用音源室１７ａと仕切られていると共に、体感ルーム１１との間を仕切る引戸口３５を介して、体感ルーム１１から出入りできるようになっている。
【００３３】
本実施形態では、制御室２６には、例えばコンピュータ等からなる制御装置２７が設けられており、この制御装置２７には、各種の配線や、アンプ、デジタル演算装置、デ−タレコーダ等を介して各音源室１３ａ，１３ｂ，１５ａ，１５ｂ，１７ａ，１７ｂ，２４に配置されたスピーカ２０及びマイクロフォン２１が接続している。これによって、各音源室１３ａ，１３ｂ，１５ａ，１５ｂ，１７ａ，１７ｂ，２４における音響を制御装置２７によって制御することが可能になり、また各音源室１３ａ，１３ｂ，１５ａ，１５ｂ，１７ａ，１７ｂ，２４において生じさせる音の種類や音響（音質、音量等）を任意に選択でき、さらに各音源室１３ａ，１３ｂ，１５ａ，１５ｂ，１７ａ，１７ｂ，２４で発生させた音を体感ルーム１１においてパソコンの画像上で可視化して確認することができるようになっている。
【００３４】
また、制御装置に各種のプログラムを組み込んでおくことにより、各音源室１３ａ，１３ｂ，１５ａ，１５ｂ，１７ａ，１７ｂ，２４に所定の順序で所定の種類の音響（音質、音量等）を自動的に発生させるように制御して、例えば音響の違いや、間仕切壁、ドア、サッシ、給気装置等の仕様の違いによる遮音性の相違を、体系的に比較させながら、効果的に体感者に体感させることができるようになっている。
【００３５】
さらに、本実施形態では、体感ルーム１１の上方の２階の床面２８には、図１（ｂ）に示すように、歩行加振器２９が設けられている。すなわち、本実施形態では、重量衝撃音や軽量衝撃音とは異なる、遮音上重要な実生活で生じる歩行者による床衝撃音を体感させることが可能な装置として、歩行時の衝撃を再現する装置である歩行加振器２９が設けられている。このような歩行加振器２９としては、例えば特開２００１−１４１６００号公報に記載された、対象床における歩行者による衝撃音の的確な測定や評価を可能にする、連続衝撃音発生装置を用いることができる。
【００３６】
そして、上述の構成を備える本実施形態の遮音性能体感設備によれば、例えばドア付き開口１４ａ，１４ｂやサッシ付き開口１６ａ，１６ｂに遮音性能が異なる複数種類のドア１８ａ，１８ｂやサッシ１９ａ，１９ｂを取り付けた場合の遮音性の相違や、遮音性能が異なる複数種類の間仕切壁１２ａ，１２ｂの遮音性の相違を、効果的に比較しながら体感することが可能になる。
【００３７】
すなわち、本実施形態によれば、例えば形状、配置、内装、音の拡散状況等について略同一の条件で設けられた、一対の間仕切用音源室１３ａ，１３ｂと、一対のドア用音源室１５ａ，１５ｂと、一対のサッシ用音源室１７ａ，１７ｂとが、体感ルーム１１の周囲に設置されており、各間仕切用音源室１３ａ，１３ｂや、各ドア用音源室１５ａ，１５ｂや、各サッシ用音源室１７ａ，１７ｂには、体感ルーム１１との間に、遮音性能が異なる複数種類の仕様の間仕切壁１２ａ，１２ｂや、ドア１８ａ，１８ｂや、サッシ１９ａ，１９ｂが各々取り付けられているので、これらの音源室１３ａ，１３ｂ，１５ａ，１５ｂ，１７ａ，１７ｂに、所定の音響を同じ条件で、例えば比較するのに適した所定の間隔で略同時に発生させたり、繰り返し発生させたり、交互に発生させたりすることによって、例えば対象部位や部材の遮音性能について、一般的なものと高性能のものとの遮音性の相違を、実空間に非常に近い環境下で比較しながら効果的に体感することが可能になる。
【００３８】
また、本実施形態では、体感ルーム１１の周囲に、一対の給気口２２ａ，２２ｂが形成された給気用間仕切壁２３を挟んで体感ルーム１１と対向する給気口音源室２４が配置されているので、例えば給気口音源室２４に道路交通や鉄道やその他の騒音を模した音響を発生させることにより、給気口２２ａ，２２ｂに取り付けられた遮音性能の異なる２種類の給気装置２５ａ，２５ｂによる遮音性の相違を、効果的に比較しながら体感することが可能になる。
【００３９】
さらに、本発明では、例えば間仕切壁とドアやサッシとの遮音性能を比較することで、遮音性の観点からどこが弱点になっているかを体感を通して習得することも可能である。
【００４０】
なお、本発明は上記実施形態に限定されることなく種々の変更が可能である。例えば、体感ルームの周囲に間仕切用音源室やドア用音源室やサッシ用音源室を３箇所以上配置すると共に、各々の音源室に遮音性能の異なる間仕切壁やドアやサッシを取り付けて、３種類以上の間仕切壁やドアやサッシについて、遮音性の相違を体感ルームで体感できるようにすることも可能である。また、本発明の遮音性能体感設備は、購入予定者（ユーザ）に異なる種類の対象部位や部材の遮音性の相違を体感してもらうための設備として用いる他、例えば住宅メーカーの社員に異なる種類の対象部位や部材の遮音性の相違を体感してもらうための、社員研修用の設備として用いることも可能である。
【符号の説明】
【００４１】
１０  遮音性能体感設備
１１  体感ルーム
１２ａ，１２ｂ  間仕切壁
１３ａ，１３ｂ  間仕切用音源室
１４ａ，１４ｂ  ドア付き開口
１５ａ，１５ｂ  ドア用音源室
１６ａ，１６ｂ  サッシ付き開口
１７ａ，１７ｂ  サッシ用音源室
１８ａ，１８ｂ  ドア
１９ａ，１９ｂ  サッシ
２０  スピーカ
２１  マイクロフォン
２２ａ，２２ｂ  給気口
２３  給気用間仕切壁
２４  給気口音源室
２５ａ，２５ｂ  給気装置
２６  制御室
２７  制御装置
２８  ２階の床面
２９  歩行加振器
【図１】
2011002482.tif 000003